Podtech/llm-jp-corpus-v4-ja_patent huggingface dataset:
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
一連のピクチャフレームを有する映像ビットストリームを受信する工程と、
１つのピクチャフレームのパーティションにおけるエラー発生を判定する工程と、
前記エラーの影響を受けたパーティションに係るイントラ予測を用いて、前記エラーの時間的伝播を含むエラー伝播を判定する工程と、
前記エラーの影響を受けたパーティションの各々について、前記エラーにより引き起こされた視覚的な品質低下の量を示すペナルティ値を算出することで、前記エラーにより引き起こされる視覚的な品質低下を判定する工程と、
前記エラー伝播に基づいて、前記映像ビットストリームの品質を推定する工程と、を有し、
前記エラー伝播を判定する工程は、前記ピクチャフレームよりも低い解像度を有し、前記ペナルティ値を格納した損失ペナルティマップから、前記エラーの影響を受けたパーティションに対応する前記ペナルティ値の収集を含む
ことを特徴とする映像品質推定方法。
【請求項２】
前記ペナルティ値は、以下のルール
前記エラーがシーン変化において発生する場合に、前記エラーに対してより高いペナルティ値を割り当てる
前記映像ビットストリームがエラーの影響を受けたピクチャフレームの直後のモーションデータを有する場合、特に該モーションの相対的な大きさが大きい場合に、前記エラーに対してより高いペナルティ値を割り当てる
前記パーティションがスキップあるいは推定スキップである場合であって、場合によってはシーン変化や推定シーン変化が存在しない場合に、前記パーティションについての前記エラーにペナルティ値を割り当てない
後続のピクチャフレームの少なくとも１つについての前記エラーに割り当てられたペナルティ値を、所定量あるいは所定係数分減らす
イントラ符号化パーティションあるいはイントラ符号化ピクチャフレームを受信した際に、ペナルティ値をリセットする
のうちの１以上のルールに従って算出されることを特徴とする請求項１に記載の方法。
【請求項３】
前記エラー伝播を判定する工程は、以前に発生したエラーについての前記ペナルティ値への重み付けを含むことを特徴とする請求項１または２に記載の方法。
【請求項４】
前記ペナルティ値を前記一連のピクチャフレームについて合算する工程と、
前記合算結果に基づいて前記映像ビットストリームの品質についてのスコアを算出する工程と、をさらに有する
ことを特徴とする請求項１乃至３のいずれか１項に記載の方法。
【請求項５】
前記合算する工程は、大きい視覚的な品質低下を示すペナルティ値よりも、小さい視覚的な品質低下を示すペナルティ値について、より高い係数で重み付けを行うことを特徴とする請求項４に記載の方法。
【請求項６】
前記スコアは、周期的に、あるいは所定期間についての新たなスコアが所定のレートで算出されるスライドウィンドウアプローチを用いて算出されることを特徴とする請求項４または５に記載の方法。
【請求項７】
前記映像ビットストリームは、映像符号化レイヤの少なくとも一部を有し、
前記映像符号化レイヤは、１以上のパラメータを有し、
前記エラー発生を判定する工程、前記エラー伝播を判定する工程、及び前記映像品質を推定する工程の少なくとも１つは、少なくとも１以上の前記パラメータに基づく
ことを特徴とする請求項１乃至６のいずれか１項に記載の方法。
【請求項８】
コンピュータに請求項１乃至７のいずれか１項に記載の方法の各工程を実行させるためのプログラム。
【請求項９】
映像品質を推定する装置であって、
一連のピクチャフレームを有する映像ビットストリームを受信する受信手段と、
１つのピクチャフレームのパーティションにおけるエラー発生を判定する第１の判定手段と、
前記エラーの影響を受けたパーティションに係るイントラ予測を用いて、前記エラーの時間的伝播を含むエラー伝播を判定する第２の判定手段と、
前記エラーの影響を受けたパーティションの各々について、前記エラーにより引き起こされた視覚的な品質低下の量を示すペナルティ値を算出することで、前記エラーにより引き起こされる視覚的な品質低下を判定する第３の判定手段と、
前記エラー伝播に基づいて、前記映像ビットストリームの品質を推定する推定手段と、を有し、
前記第２の判定手段は、前記エラー伝播の判定において、前記ピクチャフレームよりも低い解像度を有し、前記ペナルティ値を格納した損失ペナルティマップから、前記エラーの影響を受けたパーティションに対応する前記ペナルティ値の収集を含む
ことを特徴とする装置。
【請求項１０】
前記第３の判定手段は、以下のルール
前記エラーがシーン変化において発生した場合に、前記エラーに対してより高いペナルティ値を割り当てる
前記映像ビットストリームがエラーの影響を受けたピクチャフレームの直後のモーションデータを含む場合、特に該モーションの相対的な大きさが大きい場合に、前記エラーに対してより高いペナルティ値を割り当てる
前記パーティションがスキップあるいは推定スキップである場合であって、場合によってはシーン変化や推定シーン変化が存在しない場合に、前記パーティションについての前記エラーにペナルティ値を割り当てない
後続のピクチャフレームの少なくとも１つについての前記エラーに割り当てられたペナルティ値を、所定量あるいは所定係数分減らす
イントラ符号化パーティションあるいはイントラ符号化ピクチャフレームを受信した際に、ペナルティ値をリセットする
のうちの１以上のルールに従って前記ペナルティ値を算出することを特徴とする請求項９に記載の装置。
【請求項１１】
前記第２の判定手段は、前記エラー伝搬の判定において、以前に発生したエラーについての前記ペナルティ値への重み付けを含むことを特徴とする請求項９または１０に記載の装置。
【請求項１２】
前記ペナルティ値を前記一連のピクチャフレームについて合算する合算手段と、
前記合算結果に基づいて前記映像ビットストリームの品質を示すスコアを算出する算出手段と、をさらに有する
ことを特徴とする請求項９乃至１１のいずれか１項に記載の装置。
【請求項１３】
映像ビットストリームを提供するサーバノードであって、
請求項９乃至１２のいずれか１項に記載の装置を有することを特徴とするサーバノード。
【請求項１４】
映像ビットストリームを復号するクライアント端末であって、
請求項９乃至１２のいずれか１項に記載の装置を有することを特徴とするクライアント端末。
【請求項１５】
映像サーバノードと映像クライアント端末間の通信用のネットワークノードであって、
請求項９乃至１２のいずれか１項に記載の装置を有することを特徴とするネットワークノード。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
撮像手段、制御手段、メモリ手段及び電源を有しており、利用者の装身具に設置され、利用者の前方の風景を前記撮像手段で撮影して、撮影された映像データを前記メモリ手段に記憶させることを特徴とする撮像装置。
【請求項２】
前記撮像手段が、利用者のヘルメット、ランドセル、帽子、被服及び該被服のポケットのいずれかに設置されることを特徴とする、  請求項１に記載の撮像装置。
【請求項３】
前記撮像手段における撮像範囲は、設置状態において、水平方向と比較して鉛直方向に大きく設定されることを特徴とする、  請求項１又は２に記載の撮像装置。
【請求項４】
前記撮像手段、前記制御手段及び記メモリ手段を収容する筐体を備え、前記筐体の表面に対して、前記撮像手段の光軸が上方に傾斜していることを特徴とする、  請求項１乃至３のいずれかに記載の撮像装置。
【請求項５】
前記装身具と係合するクリップ手段を有することを特徴とする、  請求項１乃至４のいずれかに記載の撮像装置。
【請求項６】
前記クリップ手段は、前記撮像手段、前記制御手段及び前記電源を含む筐体に対して着脱自在に配置され、  前記クリップ手段は、前記筐体における前記撮像手段のレンズが開口する前面側に配置される状態と、前記前面側と反対の背面側に配置される状態を、切換自在であることを特徴とする、  請求項５に記載の撮像装置。
【請求項７】
ランドセルの背負いベルトに巻きつけられる巻き付け手段を備えることを特徴とする、  請求項１乃至６のいずれかに記載の撮像装置。
【請求項８】
前記巻き付け手段は、前記ランドセルの背負いベルトの上端近傍と係合するための延長部を有することを特徴とする、  請求項７に記載の撮像装置。
【請求項９】
ヘルメットの外周に巻きつけられる固定バンド手段を備えることを特徴とする、  請求項１乃至８のいずれかに記載の撮像装置。
【請求項１０】
前記固定バンド手段は、透明または半透明の素材であることを特徴とする、  請求項９に記載の撮像装置。
【請求項１１】
更に、反射板又は発光体を表面に備えることを特徴とする、  請求項１乃至１０のいずれかに記載の撮像装置。
【請求項１２】
前記撮像装置の映像を、外部サーバに転送する外部通信手段を備えることを特徴とする、  請求項１乃至１１のいずれかに記載の撮像装置。
【請求項１３】
前記制御手段は、前記撮像手段によって撮像される映像データ、スピーカ手段によって収集された音声データ、振動センサによって収集される振動データ、利用者による操作信号及び外部通信機器からの転送要求の少なくともいずれかを利用して、周囲のイベントの有無を判定するイベント判定手段を備え、  前記イベント判定手段によってイベントが発生したと判定された際に、前記外部通信手段は、前記撮像手段によって撮像される前記映像データを外部サーバに転送することを特徴とする、  請求項１２に記載の撮像装置。
【請求項１４】
前記イベント判定手段によってイベントが発生したと判定された際に、前記外部通信手段は、過去と現在の前記映像データの双方を前記外部サーバに転送することを特徴とする、  請求項１３に記載の撮像装置。
【請求項１５】
前記イベント判定手段によってイベントが発生したと判定された際に、前記外部通信手段は、前記メモリ手段に記憶される過去の前記映像データを前記外部サーバに転送することを特徴とする、  請求項１３又は１４に記載の撮像装置。
【請求項１６】
前記制御手段は、前記メモリ手段に記憶される前記映像データを時間分割するデータ分割手段を備え、  前記イベント判定手段によってイベントが発生したと判定された際に、前記外部通信手段は、前記データ分割手段によって分割された前記映像データを前記外部サーバに転送することを特徴とする、  請求項１３乃至１５のいずれかに記載の撮像装置。
【請求項１７】
前記制御手段は、外部通信機器と音声通話を行う音声通話手段を備えることを特徴とする、  請求項１乃至１６のいずれかに記載の撮像装置。
【請求項１８】
更に振動スイッチを有しており、前記振動スイッチによる振動検知によって、前記電源がＯＮとなることを特徴とする、  請求項１乃至１７のいずれかに記載の撮像装置。
【請求項１９】
前記制御手段は、前記撮像手段によって撮像されている映像データの時間変化を解析する映像動作解析部を備えることを特徴とする、  請求項１乃至１８のいずれかに記載の撮像装置。
【請求項２０】
前記映像動作解析部における前記映像データの時間変化が一定期間に亘って所定閾値以下の場合、該映像データの前記メモリ手段への記憶を停止するか、または、前記電源をＯＦＦにすることを特徴とする、  請求項１９に記載の撮像装置。
【請求項２１】
前記映像動作解析部における前記映像データの時間変化が閾値以上の場合、該映像データの前記メモリ手段への記憶を開始することを特徴とする、  請求項１９又は２０に記載の撮像装置。
【請求項２２】
複数の利用者によって利用される、請求項１乃至２１のいずれかに記載の前記撮像装置によって撮影された映像を、インターネットを介して収集する映像収集サーバであって、  撮影日時情報、撮影経路情報と共に前記映像を蓄積することを特徴とする映像収集サーバ。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
第１の記憶装置に番組を記録する第１の記録処理手段と、
第２の記憶装置に任意の番組を記録する第２の記録処理手段と、
人気ランキング情報、録画予約情報及び話題性の少なくとも１つを含む録画番組情報を取得する通信制御手段と、
前記録画番組情報に基づいて、前記第１の記憶装置に記録されている番組を前記第２の記憶装置に保存するアーカイブ対象番組に選定するアーカイブ判定手段と、
前記アーカイブ判定手段により前記アーカイブ対象番組に選定された番組に関わる情報を管理するアーカイブ番組情報管理手段と、
前記アーカイブ対象番組に選定された番組を前記第１の記憶装置から読み出し、前記第２の記憶装置に書き込むアーカイブ制御手段と、
を具備する電子機器。
【請求項２】
前記録画番組情報は、録画予約情報に基づく番組の放送前に生成する情報及び視聴率や話題性の情報に基づく情報の少なくとも１つを含む請求項１の電子機器。
【請求項３】
前記アーカイブ番組情報管理手段は、前記アーカイブ対象番組に選定された番組毎に前記第１の記憶装置内の録画時間と視聴履歴とを管理し、前記アーカイブ制御手段は、前記アーカイブ対象番組に選定された番組が前記第１の記憶装置内に保持されている間に所定時間以上視聴されている場合、前記第２の記憶装置へのアーカイブ処理から除外する請求項１または２の電子機器。
【請求項４】
前記アーカイブ番組情報管理手段は、前記アーカイブ対象番組に選定された番組が複数の番組と関連するシリーズ番組または連続番組である場合、シリーズＩＤまたは連続情報を管理し、前記アーカイブ制御手段は、前記録画番組情報に関わらず、前記シリーズＩＤまたは連続情報により特定される関連する前記複数の番組全てをアーカイブ処理する請求項１または２の電子機器。
【請求項５】
前記アーカイブ判定手段は、前記第１の記憶装置内において所定時間以上の視聴履歴のある複数の番組と関連するシリーズ番組または連続番組を、前記録画番組情報に関わらずアーカイブ対象番組に選定する請求項１または２の電子機器。
【請求項６】
前記アーカイブ番組情報管理手段は、番組毎のユーザによる保護指定状況を管理し、前記アーカイブ制御手段は、保護指定された番組について、前記第１の記憶装置において視聴済みであった場合でも、前記第２の記憶装置へのアーカイブ処理を行う請求項１または２の電子機器。
【請求項７】
前記アーカイブ制御手段は、前記アーカイブ対象番組に選定された番組の放送時間帯に前記第２の記憶装置への録画が可能であった場合、前記第２の記憶装置へ前記アーカイブ対象番組に選定された番組を録画する請求項１または２の電子機器。
【請求項８】
前記アーカイブ制御手段は、前記アーカイブ対象番組に選定された番組の放送時間帯に前記第２の記憶装置への録画時に、放送時間の変更に連動可能な番組指定録画モードを設定する請求項７の電子機器。
【請求項９】
前記番組の映像を表示する表示手段をさらに具備する請求項１、２、３、４、５、６、７、８のいずれか１の電子機器。
【請求項１０】
第１の記録領域に記録した番組について、人気ランキング情報、録画予約情報及び話題性の少なくとも１つを含む録画番組情報に基づいてアーカイブ選定し、
アーカイブ選定された番組を、上書き記録による消去から除外し、
第１の記録領域とは異なる第２の記録領域する
情報保持方法。
【請求項１１】
録画番組情報は、録画予約情報に基づく番組の放送前に生成する情報及び視聴率や話題性の情報に基づく情報の少なくとも１つを含む請求項１０の情報保持方法。
【手続補正２】
【補正対象書類名】明細書
【補正対象項目名】０００９
【補正方法】変更
【補正の内容】
【０００９】
実施形態の電子機器は、第１の記録処理手段と、第２の記録処理手段と、通信制御手段と、アーカイブ判定手段と、アーカイブ番組情報管理手段と、アーカイブ制御手段と、を具備する。第１の記録処理手段は、第１の記憶装置に番組を記録する。第２の記録処理手段は、第２の記憶装置に任意の番組を記録する。通信制御手段は、人気ランキング情報、録画予約情報及び話題性の少なくとも１つを含む録画番組情報を取得する。アーカイブ判定手段は、前記録画番組情報に基づいて、前記第１の記憶装置に記録されている番組を前記第２の記憶装置に保存するアーカイブ対象番組に選定する。アーカイブ番組情報管理手段は、前記アーカイブ判定部により前記アーカイブ対象番組に選定された番組に関わる情報を管理する。アーカイブ制御手段は、前記アーカイブ対象番組に選定された番組を前記第１の記憶装置から読み出し、前記第２の記憶装置に書き込む。
【手続補正３】
【補正対象書類名】明細書
【補正対象項目名】００３７
【補正方法】変更
【補正の内容】
【００３７】
保護設定有の場合は、その番組をアーカイブ化する（ループ記録の上書き記録による消去から保護する）、と判定する［２０２−ＹＥＳ］（−［２０７］）。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
装着者の生体情報を検出する検出部を有するケース部と、
前記ケース部を前記装着者に装着するためのバンド部と、を備え、
前記ケース部は、側面視において第１の曲面を有する上面部を有し、
前記バンド部は、前記ケース部を挿入するための開口部と、前記側面視において前記開口部の両側に前記第１の曲面よりも曲率半径の小さい第２の曲面とを有することを特徴とする生体情報測定機器。
【請求項２】
請求項１において、
前記ケース部は、前記開口部に着脱可能に挿入されることを特徴とする生体情報測定機器。
【請求項３】
請求項１または２において、
前記ケース部は前記検出部で前記生体情報を検出するための窓部を備え、
前記窓部は、前記ケース部が前記開口部に挿入されたときに前記開口部から露出していることを特徴とする生体情報測定機器。
【請求項４】
請求項１乃至３のいずれかにおいて、
前記ケース部は、前記装着者と接触する底面部と、
前記底面部から前記装着者の装着部に向かう方向に張り出した土手部と、
を備えることを特徴とする生体情報測定機器。
【請求項５】
請求項４において、
前記窓部は、前記土手部に配置されていることを特徴とする生体情報測定機器。
【請求項６】
請求項４において、
側面視において、前記底面部の端部は、前記底面部から前記装着者の装着部に向かう方向に沿って、前記土手部よりも突出していることを特徴とする生体情報測定機器。
【請求項７】
請求項１乃至６のいずれかにおいて、
前記窓部は、前記開口部において露出していることを特徴とする生体情報測定機器。
【請求項８】
請求項６または７において、
前記バンド部は、前記底面部の端部と隣接する凸状部を備えることを特徴とする生体情報測定機器。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を行うか否かを判定する判定手段と、
前記判定手段による判定の結果に基づいて、演出手段に演出を実行させる演出制御手段と、
前記判定手段により前記特別遊技を行うと判定されると、前記特別遊技を実行させる特別遊技制御手段と、を備え、
前記特別遊技には、第１特別遊技と、前記第１特別遊技よりも遊技者に有利な第２特別遊技とがあり、
前記演出制御手段は、
所定の演出図柄が変動する通常演出を実行させる通常演出制御手段と、
前記通常演出が実行された後に、前記特別遊技が実行される可能性が高いことを示唆する特別演出を実行させることが可能な特別演出制御手段と、を有し、
前記通常演出制御手段は、
前記第１特別遊技が実行される場合、前記特別演出が実行される前に、前記第１特別遊技が実行されることを示唆する第１態様で前記演出図柄が仮停止するか否かの演出を行ってから、当該第１態様で前記演出図柄が仮停止する第１特定演出を実行させる第１特定演出制御手段と、
前記第２特別遊技が実行される場合、前記特別演出が実行される前に、前記第２特別遊技が実行されることを示唆する第２態様で前記演出図柄が仮停止するか否かの演出を行ってから、当該第２態様で前記演出図柄が仮停止する第２特定演出を実行させる第２特定演出制御手段と、
前記第１特別遊技または前記第２特別遊技の何れも実行されない場合、前記第１態様で前記演出図柄が仮停止するか否かの演出を行ってから、当該第１態様で前記演出図柄が仮停止しない第１ハズレ演出、または、前記第２態様で前記演出図柄が仮停止するか否かの演出を行ってから、当該第２態様で前記演出図柄が仮停止しない第２ハズレ演出を実行させるハズレ演出制御手段と、を有することを特徴とする遊技機。
【請求項２】
前記第１特定演出制御手段は、前記特別演出が実行される前に、前記第２態様で前記演出図柄が仮停止するか否かの演出を行ってから、当該第２態様で前記演出図柄が仮停止しない第２示唆不実行演出を実行させた後に、前記第１特定演出を実行させることが可能なことを特徴とする、請求項１に記載の遊技機。
【請求項３】
前記第２特定演出制御手段は、前記特別演出が実行される前に、前記第１態様で前記演出図柄が仮停止するか否かの演出を行ってから、当該第１態様で前記演出図柄が仮停止しない第１示唆不実行演出を実行させた後に、前記第２特定演出を実行させることが可能なことを特徴とする、請求項１又は２に記載の遊技機。
【手続補正２】
【補正対象書類名】明細書
【補正対象項目名】０００７
【補正方法】変更
【補正の内容】
【０００７】
本発明の請求項１に記載の遊技機は、始動条件の成立により遊技者に有利な特別遊技を行うか否かを判定する判定手段と、前記判定手段による判定の結果に基づいて、演出手段に演出を実行させる演出制御手段と、前記判定手段により前記特別遊技を行うと判定されると、前記特別遊技を実行させる特別遊技制御手段と、を備え、前記特別遊技には、第１特別遊技と、前記第１特別遊技よりも遊技者に有利な第２特別遊技とがあり、前記演出制御手段は、所定の演出図柄が変動する通常演出を実行させる通常演出制御手段と、前記通常演出が実行された後に、前記特別遊技が実行される可能性が高いことを示唆する特別演出を実行させることが可能な特別演出制御手段と、を有し、前記通常演出制御手段は、前記第１特別遊技が実行される場合、前記特別演出が実行される前に、前記第１特別遊技が実行されることを示唆する第１態様で前記演出図柄が仮停止するか否かの演出を行ってから、当該第１態様で前記演出図柄が仮停止する第１特定演出を実行させる第１特定演出制御手段と、前記第２特別遊技が実行される場合、前記特別演出が実行される前に、前記第２特別遊技が実行されることを示唆する第２態様で前記演出図柄が仮停止するか否かの演出を行ってから、当該第２態様で前記演出図柄が仮停止する第２特定演出を実行させる第２特定演出制御手段と、前記第１特別遊技または前記第２特別遊技の何れも実行されない場合、前記第１態様で前記演出図柄が仮停止するか否かの演出を行ってから、当該第１態様で前記演出図柄が仮停止しない第１ハズレ演出、または、前記第２態様で前記演出図柄が仮停止するか否かの演出を行ってから、当該第２態様で前記演出図柄が仮停止しない第２ハズレ演出を実行させるハズレ演出制御手段と、を有することを特徴とする。
また本発明の請求項２に記載の遊技機は、請求項１に記載の遊技機であって、前記第１特定演出制御手段は、前記特別演出が実行される前に、前記第２態様で前記演出図柄が仮停止するか否かの演出を行ってから、当該第２態様で前記演出図柄が仮停止しない第２示唆不実行演出を実行させた後に、前記第１特定演出を実行させることが可能なことを特徴とする。
また本発明の請求項３に記載の遊技機は、請求項１又は２に記載の遊技機であって、前記第２特定演出制御手段は、前記特別演出が実行される前に、前記第１態様で前記演出図柄が仮停止するか否かの演出を行ってから、当該第１態様で前記演出図柄が仮停止しない第１示唆不実行演出を実行させた後に、前記第２特定演出を実行させることが可能なことを特徴とする。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
遊技者の操作によって遊技球を打ち込む打球発射装置と、
該打球発射装置によって遊技球が打ち込まれる遊技領域、及び該遊技領域内に配置され打ち込まれた遊技球を受入可能とされた受入口を少なくとも有する遊技盤と、
少なくとも該遊技盤の前記受入口への遊技球の受入れに応じて所定数の遊技球を払出す払出装置と、
前記払出装置から払出された遊技球を流通させる連絡樋と、
前記連絡樋を流通した遊技球を貯留可能とすると共に底面が所定位置へ向って低くなるように傾斜する貯留部と、
前記貯留部の奥側の壁を形成する奥板部と、
前記連絡樋を流通した遊技球を前記貯留部へ流入させる流入口と、
前記貯留部に貯留されている遊技球を一列に整列させる傾斜部と、
前記傾斜部に整列されている遊技球を前記打球発射装置へ供給する供給口と、を有する遊技機であって、
前記貯留部の前記傾斜部を前記奥板部の前方に形成し、
前記傾斜部の上流側には、前記奥板部方向へ下り傾斜する傾斜面を有し、前記傾斜部は、前記傾斜面の下流側に連続しており、
前記連絡樋の左右方向の寸法を、１個の入賞に対する賞球数の内最大の賞球数を左右方向に並べられない寸法とし、
一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成した
ことを特徴とする遊技機。
【手続補正２】
【補正対象書類名】明細書
【補正対象項目名】０００２
【補正方法】変更
【補正の内容】
【０００２】
従来より、パチンコ機等の遊技機において、遊技媒体として例えば遊技球が打ち込まれる遊技領域内には、多数の障害釘が所定のゲージ配列をなして備えられている他、遊技領域の適宜位置には、遊技媒体が受入れられることで所定数の遊技媒体を払出す入賞口が複数備えられている。これら入賞口の中には、遊技媒体の受入れを契機として抽選を行う始動口が備えられており、その始動口への遊技媒体の受入れによって抽選された抽選結果に応じて、遊技者に有利な有利遊技状態を発生させるものも知られている。この従来の遊技機は、遊技領域内へ打ち込むための遊技媒体や、入賞口等への入賞により払出された遊技媒体を貯留する貯留皿が備えられており、この貯留皿内の遊技媒体が打込装置に供給されて遊技領域内へ打ち込まれるようになっている。
【手続補正３】
【補正対象書類名】明細書
【補正対象項目名】０００３
【補正方法】変更
【補正の内容】
【０００３】
この種の遊技機では、遊技媒体が流入口を介して貯留皿内へ払出される際に、払出された遊技媒体が貯留皿に与える衝撃を可及的に小さくするために、貯留皿の底面と遊技媒体の流入口の底辺との段差が可及的に小さくなる（貯留皿の底面と流入口の底辺とが略同じ高さ）ように配置されている（例えば、特許文献１の図２を参照）。
【手続補正４】
【補正対象書類名】明細書
【補正対象項目名】０００４
【補正方法】変更
【補正の内容】
【０００４】
【特許文献１】特開２００８−１１３９１８号公報
【手続補正５】
【補正対象書類名】明細書
【補正対象項目名】０００５
【補正方法】変更
【補正の内容】
【０００５】
しかしながら、従来の遊技機では、貯留皿の底面と流入口の底辺とが略一致しているので、貯留皿内に遊技媒体が多く貯留されて流入口を塞いだ状態となり、その状態で遊技媒体が払出されると、払出された遊技媒体が貯留皿内の遊技媒体を横から押すような形となる。これにより、貯留皿内の遊技媒体に横方向の力が作用して、遊技媒体同士が互いに押し合った状態となり、遊技媒体の流動性が低下して貯留皿内で遊技媒体が詰ってしまい、貯留皿内の遊技媒体が打込装置に供給されなくなってしまう問題があった。そのため、貯留皿内で遊技媒体が詰ると、遊技者自身が手で詰りを解消させているので、遊技中はずっと貯留皿内の遊技媒体に気を配らなければならず、煩わしく感じて遊技に対する興趣を低下させてしまう虞があった。
【手続補正６】
【補正対象書類名】明細書
【補正対象項目名】０００６
【補正方法】変更
【補正の内容】
【０００６】
そこで、本発明は上記の実情に鑑み、貯留皿内の遊技媒体を気にすることなく遊技を継続させて遊技者の遊技に対する興趣が低下するのを抑制することが可能な遊技機の提供を課題とするものである。
【手続補正７】
【補正対象書類名】明細書
【補正対象項目名】０００７
【補正方法】変更
【補正の内容】
【０００７】
手段１：遊技機において、
「遊技者の操作によって遊技球を打ち込む打球発射装置と、
該打球発射装置によって遊技球が打ち込まれる遊技領域、及び該遊技領域内に配置され打ち込まれた遊技球を受入可能とされた受入口を少なくとも有する遊技盤と、
少なくとも該遊技盤の前記受入口への遊技球の受入れに応じて所定数の遊技球を払出す払出装置と、
前記払出装置から払出された遊技球を流通させる連絡樋と、
前記連絡樋を流通した遊技球を貯留可能とすると共に底面が所定位置へ向って低くなるように傾斜する貯留部と、
前記貯留部の奥側の壁を形成する奥板部と、
前記連絡樋を流通した遊技球を前記貯留部へ流入させる流入口と、
前記貯留部に貯留されている遊技球を一列に整列させる傾斜部と、
前記傾斜部に整列されている遊技球を前記打球発射装置へ供給する供給口と、を有する遊技機であって、
前記貯留部の前記傾斜部を前記奥板部の前方に形成し、
前記傾斜部の上流側には、前記奥板部方向へ下り傾斜する傾斜面を有し、前記傾斜部は、前記傾斜面の下流側に連続しており、
前記連絡樋の左右方向の寸法を、１個の入賞に対する賞球数の内最大の賞球数を左右方向に並べられない寸法とし、
一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成した」ものであることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
このように、本発明によれば、貯留皿内の遊技媒体を気にすることなく遊技を継続させて遊技者の遊技に対する興趣が低下するのを抑制することが可能な遊技機を提供することができる。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記導出操作手段の操作に応じて遊技の進行を制御する遊技制御手段と、
遊技者にとって有利な特典が付与されるときに、遊技の進行を遅延させるための遅延制御を実行することが可能な遅延制御実行手段とを備え、
前記遅延制御実行手段は、前記事前決定手段の決定結果に基づいて設定される複数ゲームの期間においては前記特典が付与されるときに第１割合で前記遅延制御を実行し、該複数ゲームの期間以外の期間においては前記特典が付与されるときに該第１割合よりも低い第２割合で前記遅延制御を実行することを特徴とする、スロットマシン。
【手続補正２】
【補正対象書類名】明細書
【補正対象項目名】０００７
【補正方法】変更
【補正の内容】
【０００７】
しかしながら、特許文献１に記載のスロットマシンは、所定の役が当選してから単に所定カウント数のゲーム数が消化されたことを契機にフリーズを行なうものであり、フリーズの発生頻度を変動させるものではなかった。
【手続補正３】
【補正対象書類名】明細書
【補正対象項目名】０００８
【補正方法】変更
【補正の内容】
【０００８】
この発明は、かかる実情に鑑み考え出されたものであり、その目的は、遅延制御の実行頻度を高めて特典に対する期待感が高められる機会を増やすことが可能なスロットマシンを提供することである。
【手続補正４】
【補正対象書類名】明細書
【補正対象項目名】０００９
【補正方法】変更
【補正の内容】
【０００９】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記導出操作手段の操作に応じて遊技の進行を制御する遊技制御手段と、
遊技者にとって有利な特典が付与されるときに、遊技の進行を遅延させるための遅延制御を実行することが可能な遅延制御実行手段とを備え、
前記遅延制御実行手段は、前記事前決定手段の決定結果に基づいて設定される複数ゲームの期間においては前記特典が付与されるときに第１割合で前記遅延制御を実行し、該複数ゲームの期間以外の期間においては前記特典が付与されるときに該第１割合よりも低い第２割合で前記遅延制御を実行する。
なお、以下の構成を備えるものでもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（スロットマシン１）において、
表示結果が導出される前に、入賞について発生を許容するか否かを決定する事前決定手段（乱数抽選により当選の有無を判定するメイン制御部４１）と、
遊技者にとって有利な有利状態に移行させるか否かを決定する有利状態決定手段と、
遊技者が表示結果を導出させるために操作する導出操作手段（ストップスイッチ８Ｌ、８Ｃ、８Ｒの操作、あるいはスタートスイッチ７の操作の検出信号を入力するメイン制御部４１）と、
前記導出操作手段への操作に応じてゲームの進行を制御するゲーム制御手段（メイン制御部４１）と、
前記導出操作手段への操作に応じて、表示結果を導出させる制御を行なう導出制御手段（リールの回転を開始させた後に停止させるメイン制御部４１）とを備え、
前記スロットマシンは、特定入賞（リプレイ（１）、ベル）の発生を許容する旨の決定とともに、前記有利状態に移行させる旨も決定可能であり、
前記事前決定手段の決定結果が前記特定入賞の発生を許容することを含む決定結果であるときにおいて、ゲームの進行を遅延させるための遅延制御（フリーズ）を実行するときに、該遅延制御を実行するタイミングを決定する遅延制御決定手段（図１６のフリーズ決定処理）と、
前記遅延制御決定手段の決定に従って前記遅延制御を実行する遅延制御手段（図１１参照）と、
前記遅延制御の実行中に開始して終了するように実行期間が定められた演出を実行する演出実行手段とをさらに備え、
前記遅延制御決定手段が前記遅延制御を今回のゲームで実行すると決定する割合と次回以降のゲームで実行すると決定する割合との比率は、前記有利状態に移行させる旨および前記特定入賞の発生を許容する旨の双方が決定されるときと前記特定入賞の発生を許容する旨が決定されるが前記有利状態に移行させる旨が決定されないときとで異なり（図９参照）、
前記導出制御手段は、前記特定入賞の発生が許容されているときに、前記導出操作手段の操作手順に関わらず、前記特定入賞を発生させる表示結果を導出させる制御を行なう。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
末端部と基端部を有する人工器官を備えた搬送カテーテルを提供する工程であって、前記人工器官は、潰された形状を有し、前記搬送カテーテルに配置されており、前記搬送カテーテルは細長いインナーシャフトと、細長いアウターシャフトと、前記人工器官の上に配置されたシャトルシースを備えているものと、
前記人工器官の展開方向を選択する工程であって、前記展開方向は前記人工器官を該人工器官の前記基端部から前記末端部に向けて径方向に拡張する方向又は前記人工器官を該人工器官の前記末端部から前記基端部に向けて径方向に拡張する方向を有するものを備えており、
前記人工器官の前記展開方向を選択する工程は、
前記インナーシャフトを前記シャトルシースに連結する工程と、
前記アウターシャフトを前記シャトルシースから分離する工程と、
前記インナーシャフトを末端側に移動させることによって前記シャトルシースを前記人工器官の末端側に移動させる工程と、
前記人工器官を該人工器官の前記基端部から前記末端部へと径方向に拡張する工程と、
前記人工器官から規制を取り除いて前記選択された展開方向に向けて前記人工器官を径方向に拡張させる工程と、
前記人工器官を径方向に拡張して、前記選択された展開方向に向けて、前記人工器官を前記潰された形状から拡張された形状にする工程を含む、人工器官を二方向に展開する方法。
【請求項２】
前記人工器官を治療部位に移送する工程を有する、請求項１の方法。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
複数のキャラクタのうちからキャラクタを設定可能なキャラクタ設定手段と、
前記キャラクタ設定手段により設定されたキャラクタに応じた演出を実行する演出実行手段と、
遊技機において特定のキャラクタが設定されているか否かを判定する判定手段とを備え、
前記特典選択手段は、前記特定のキャラクタが設定されているときには、前記特定のキャラクタが設定されていないときに比べて、前記特定のキャラクタに対応する特典を他の特典よりも高い割合で選択する
ことを特徴とする遊技システム。
【請求項２】
遊技者が所定の遊技を行うことが可能な遊技機であって、
遊技履歴に基づいて特典を付与する特典付与手段と、
前記特典付与手段により付与する特典を選択する特典選択手段と、
複数のキャラクタのうちからキャラクタを設定可能なキャラクタ設定手段と、
前記キャラクタ設定手段により設定されたキャラクタに応じた演出を実行する演出実行手段と、
特定のキャラクタが設定されているか否かを判定する判定手段とを備え、
前記特典選択手段は、前記特定のキャラクタが設定されているときには、前記特定のキャラクタが設定されていないときに比べて、前記特定のキャラクタに対応する特典を他の特典よりも高い割合で選択する
ことを特徴とする遊技機。
【手続補正２】
【補正対象書類名】明細書
【補正対象項目名】０００７
【補正方法】変更
【補正の内容】
【０００７】
（手段１）本発明による遊技システムは、
遊技者が所定の遊技を行うことが可能であり、遊技履歴を特定する情報を出力する遊技機と、遊技機から出力された情報を取得して管理する管理装置とを備えた遊技システムであって、
遊技履歴に基づいて特典を付与する特典付与手段と、
前記特典付与手段により付与する特典を選択する特典選択手段と、
複数のキャラクタのうちからキャラクタを設定可能なキャラクタ設定手段と、
前記キャラクタ設定手段により設定されたキャラクタに応じた演出を実行する演出実行手段と、
遊技機において特定のキャラクタが設定されているか否かを判定する判定手段とを備え、
前記特典選択手段は、前記特定のキャラクタが設定されているときには、前記特定のキャラクタが設定されていないときに比べて、前記特定のキャラクタに対応する特典を他の特典よりも高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段１において、遊技機は、スロットマシン及びパチンコ遊技機の両方を含む。
また、手段１において、遊技履歴は、遊技者が過去に遊技を行った回数などの情報、遊技者に対して付与された価値を特定可能な情報などが挙げられる。
【手続補正３】
【補正対象書類名】明細書
【補正対象項目名】００１２
【補正方法】変更
【補正の内容】
【００１２】
（手段６）本発明による遊技機は、
遊技者が所定の遊技を行うことが可能な遊技機であって、
遊技履歴に基づいて特典を付与する特典付与手段と、
前記特典付与手段により付与する特典を選択する特典選択手段と、
複数のキャラクタのうちからキャラクタを設定可能なキャラクタ設定手段と、
前記キャラクタ設定手段により設定されたキャラクタに応じた演出を実行する演出実行手段と、
遊技機において特定のキャラクタが設定されているか否かを判定する判定手段とを備え、
前記特典選択手段は、前記特定のキャラクタが設定されているときには、前記特定のキャラクタが設定されていないときに比べて、前記特定のキャラクタに対応する特典を他の特典よりも高い割合で選択することを特徴とする。
そのような構成によれば、設定された特定演出に関連する種類の特典が付与されやすいので、遊技者が好む特典を付与することができ、遊技者に特典付与への喜びを感じさせることができる。また、特定演出を設定して遊技を行うことへの意欲を高めることができるので、遊技機の稼働率を向上させることができる。
なお、手段６において、遊技機は、スロットマシン及びパチンコ遊技機の両方を含む。
また、手段６において、遊技履歴は、遊技者が過去に遊技を行った回数などの情報、遊技者に対して付与された価値を特定可能な情報などが挙げられる。
また、手段６において、管理装置に遊技履歴を特定する情報を出力する方法は、管理装置に遊技履歴を特定する情報を直接的に出力する方法や管理装置以外の外部機器を介して管理装置に遊技履歴を特定する情報を間接的に出力する方法などが挙げられる。
【手続補正書】
【提出日】平成28年6月7日(2016.6.7)
【手続補正１】
【補正対象書類名】特許請求の範囲
【補正対象項目名】全文
【補正方法】変更
【補正の内容】
【特許請求の範囲】
【請求項１】
筐体、前記筐体に取り外し可能に取り付けられたシース、および取り外し可能なキャップを有する挿入器と、
検体モニタに適用される医療装置の部材と、
取り外し可能なカバー、および医療装置の前記部材が保持されている内部を有する区画と、
を有するシステムであって、
前記区画は、前記挿入器とは別体であるとともに前記挿入器から離れて設けられており、
前記カバーを取り外すと、前記医療装置の前記部材が露出するよう構成されており、
前記キャップを前記挿入器から取り外し、前記カバーを前記区画から取り外した後、前記筐体を前記シースに対して前進させ、前記挿入器を前記医療装置の前記部材に係合するよう構成されているシステム。
【請求項２】
前記キャップが、前記筐体に取り付けられるよう構成されていることを特徴とする請求項１記載のシステム。
【請求項３】
前記キャップを前記筐体から取り外すと、前記シースが露出するよう構成されていることを特徴とする請求項１記載のシステム。
【請求項４】
前記筐体および前記キャップがねじ式であることを特徴とする請求項３記載のシステム。
【請求項５】
前記カバーが、フレキシブルな金属箔あるいはフレキシブルなプラスチックであるとともに、プルタブを有していることを特徴とする請求項１記載のシステム。
【請求項６】
前記区画の前記内部が、前記カバーの取り外し前に滅菌されていることを特徴とする請求項１記載のシステム。
【請求項７】
前記挿入器の内部が、前記キャップの取り外し前に滅菌されていることを特徴とする請求項１記載のシステム。
【請求項８】
前記医療装置の部材が、該医療装置用の筐体ユニットであることを特徴とする請求項１記載のシステム。
【請求項９】
前記シースに対する前記筐体の前進が、前記医療装置用の筐体ユニットを検体センサ用のハブに係合させるよう構成されていることを特徴とする請求項１記載のシステム。
【請求項１０】
前記医療装置用の筐体ユニットが、貫通孔を有し、該貫通孔を通ってセンサおよび鋭利部材が通れるよう構成されていることを特徴とする請求項９記載の装置。
【請求項１１】
前記挿入器が、被験者の体内に鋭利部材およびセンサを挿入可能に構成されていることを特徴とする請求項１記載のシステム。
【請求項１２】
前記センサがグルコースセンサであることを特徴とする請求項１１記載のシステム。
【請求項１３】
それぞれ個別に滅菌された、挿入器を医療装置の部材に係合させる方法であって、
筐体と、前記筐体に取り外し可能に取り付けられたシースとを有する挿入器からキャップを取り外し、
医療装置の部材を保持する内部を有し、かつ前記挿入器とは別体であるとともに前記挿入器から離れて設けられている区画からカバーを取り外し、
前記筐体を前記シースに対して前進させて、前記挿入器を前記医療装置の前記部材に係合させる、
ことを特徴とする方法。
【請求項１４】
前記キャップが前記筐体から取り外せることを特徴とする請求項１３記載の方法。
【請求項１５】
前記キャップを前記筐体から取り外すと、前記シースが露出することを特徴とする請求項１４記載の方法。
【請求項１６】
前記キャップと前記筐体がねじ式であることを特徴とする請求項１５記載の方法。
【請求項１７】
前記カバーがフレキシブルな金属箔あるいはフレキシブルなプラスチックであり、前記カバーを前記区画から取り外す工程が、前記カバー上のタブを引き抜くことを含むことを特徴とする請求項１３記載の方法。
【請求項１８】
前記区画の前記内部を、前記カバーの取り外し前に滅菌することを特徴とする請求項１３記載の方法。
【請求項１９】
前記挿入器の内部を、前記キャップの取り外し前に滅菌することを特徴とする請求項１８記載の方法。
【請求項２０】
前記シースに対する前記筐体の前進により、前記医療装置用の筐体ユニットが検体センサ用のハブに係合することを特徴とする請求項１３記載の方法。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ステッピングモータにより変動表示が行われる可変表示部を複数備え、
可変表示部を変動表示した後、可変表示部の変動表示を停止することで表示結果を導出し、複数の可変表示部の表示結果の組合せに応じて入賞が発生可能とされ、ゲームの試験を行う際に接続される試験装置からの試験用信号の入力に関連して自動的にゲームを行うことが可能なスロットマシンであって、
導出操作を示す試験用導出操作信号が入力されたときに該導出操作に対応する可変表示部に表示結果を導出させる制御を行う導出制御手段と、
表示結果が導出される前に、入賞について発生を許容するか否かを決定する事前決定手段と、
前記事前決定手段の決定結果を前記試験装置に特定させるための決定結果信号を出力する制御を行う決定結果信号出力制御手段と、
複数の可変表示部それぞれのステッピングモータの基準位置からの経過ステップ数を前記試験装置に特定させるためのステップ数特定信号を出力する制御を行うステップ数特定信号出力制御手段と、
複数の可変表示部それぞれについて表示結果を導出可能な状態であるかを前記試験装置に特定させるための導出可能信号を出力する制御を行う導出可能信号出力制御手段と、
前記試験用導出操作信号の入力の態様を前記試験装置に特定させるための信号であって、複数の可変表示部の表示結果の導出順序を指定するための可変表示部指定信号と、複数の可変表示部それぞれの前記試験用導出操作信号の出力タイミングに対応するステッピングモータの基準位置からの経過ステップ数を特定可能な導出操作実行位置信号と、を出力するための制御を行う導出操作態様信号出力制御手段に対して、前記事前決定手段の決定結果に基づく情報を出力する制御を行う決定結果情報出力制御手段と、
前記導出操作態様信号出力制御手段に対して、前記導出操作態様信号出力制御手段が前記可変表示部指定信号と前記導出操作実行位置信号とを出力するための制御を開始する契機となる可変表示開始情報を可変表示の開始条件の成立に応じて出力する制御を行う可変表示開始情報出力制御手段と、
を備える、スロットマシン。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
本発明は、推奨する操作態様での導出操作を示す態様を試験装置に特定させることができるスロットマシンを提供することを目的とする。
【手続補正４】
【補正対象書類名】明細書
【補正対象項目名】０００６
【補正方法】変更
【補正の内容】
【０００６】
上記課題を解決するために、本発明の請求項１に記載のスロットマシンは、
ステッピングモータにより変動表示が行われる可変表示部を複数備え、
可変表示部を変動表示した後、可変表示部の変動表示を停止することで表示結果を導出し、複数の可変表示部の表示結果の組合せに応じて入賞が発生可能とされ、ゲームの試験を行う際に接続される試験装置からの試験用信号の入力に関連して自動的にゲームを行うことが可能なスロットマシンであって、
導出操作を示す試験用導出操作信号が入力されたときに該導出操作に対応する可変表示部に表示結果を導出させる制御を行う導出制御手段と、
表示結果が導出される前に、入賞について発生を許容するか否かを決定する事前決定手段と、
前記事前決定手段の決定結果を前記試験装置に特定させるための決定結果信号を出力する制御を行う決定結果信号出力制御手段と、
複数の可変表示部それぞれのステッピングモータの基準位置からの経過ステップ数を前記試験装置に特定させるためのステップ数特定信号を出力する制御を行うステップ数特定信号出力制御手段と、
複数の可変表示部それぞれについて表示結果を導出可能な状態であるかを前記試験装置に特定させるための導出可能信号を出力する制御を行う導出可能信号出力制御手段と、
前記試験用導出操作信号の入力の態様を前記試験装置に特定させるための信号であって、複数の可変表示部の表示結果の導出順序を指定するための可変表示部指定信号と、複数の可変表示部それぞれの前記試験用導出操作信号の出力タイミングに対応するステッピングモータの基準位置からの経過ステップ数を特定可能な導出操作実行位置信号と、を出力するための制御を行う導出操作態様信号出力制御手段に対して、前記事前決定手段の決定結果に基づく情報を出力する制御を行う決定結果情報出力制御手段と、
前記導出操作態様信号出力制御手段に対して、前記導出操作態様信号出力制御手段が前記可変表示部指定信号と前記導出操作実行位置信号とを出力するための制御を開始する契機となる可変表示開始情報を可変表示の開始条件の成立に応じて出力する制御を行う可変表示開始情報出力制御手段と、
を備える
ことを特徴としている。
【手続補正５】
【補正対象書類名】明細書
【補正対象項目名】０００７
【補正方法】削除
【補正の内容】
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
スイベルデバイスであって、
第１の端部と、第２の端部とを有する、回転部材であって、該第２の端部は、カップ状の形状を備え、該第１の端部は、先端側が拡径する段差部を有するとともに、ＥＳＵペンシルおよび一体化された煙排出システムを有するＥＳＵペンシルの少なくとも１つの内部に、該内部で回転するように配置され、それによって、前記ＥＳＵペンシルおよび一体化された煙排出システムを有する前記ＥＳＵペンシルに電力を提供するための電気コードの少なくとも一部は、前記回転部材内に含有される、回転部材と、
第１の端部と、第２の端部とを有する、枢動部材であって、該第１の端部は、カップ状の形状を備え、前記回転部材の前記第２の端部に連結される、枢動部材と
前記段差部に対して前記回転部材の回転軸方向に対向する内向きフランジ部を有するとともに、前記回転部材の前記第１の端部の外周面との間で前記ＥＳＵペンシルのハウジングの筒状端部を挟み込む、固定部材と、
を備える、スイベルデバイス。
【請求項２】
前記回転部材は、中空管状部材を備える、請求項１に記載のスイベルデバイス。
【請求項３】
前記枢動部材は、中空管状部材を備え、前記回転部材の前記第２の端部は、前記枢動部材の前記第１の端部内に正確に適合することによって、前記枢動部材が少なくとも垂直上下方向に枢動することを可能にする、請求項２に記載のスイベルデバイス。
【請求項４】
前記枢動部材は、前記垂直上下方向を含む多くの異なる方向に枢動することが可能である、請求項３に記載のスイベルデバイス。
【請求項５】
前記枢動部材の前記第２の端部は、真空管との漏出防止接続を形成することが可能である、請求項３に記載のスイベルデバイス。
【請求項６】
前記回転部材および前記枢動部材は、煙および破片を前記真空管に導くための平滑内部円柱面をそれぞれ有する、請求項５に記載のスイベルデバイス。
【請求項７】
前記ＥＳＵペンシルまたは一体化された煙排出システムを有する前記ＥＳＵペンシルに
電力を提供するための前記電気コードの少なくとも一部は、前記枢動部材および前記回転部材内に含有される、請求項１に記載のスイベルデバイス。